(57)【要約】【課題】  従来の紙さばきにおいては、さばき動作中は紙さばきからのエアの量や方向は一定であったので、さばき効果が十分でなく、改善の余地があった。【解決手段】  上記目的を達成するために、ノズル８を上からコの字状におおうカバー７ａと、ノズル８の先端近傍にコロ９ａ、９ｂ、９ｃを設け、上記カバー７ａの両サイドにコロ９ａ、９ｂ、９ｃが案内されてノズル８を斜め上下方向に昇降するよう案内するガイド７ｄを設ける構成とした。また、ノズル８からエアを噴射する際に、エアの反作用によってノズル８が斜め後方へ降下する構成とした。【選択図】図７
2010228830.tif 000002
【特許請求の範囲】
【請求項１】
印刷機の給紙装置の紙積台上に積載された枚葉紙の上端部をさばく紙さばきにおいて、該紙さばきのノズルは紙さばきエアの吹き出し力により上下動することを特徴とする印刷機の給紙装置の紙さばき。
【請求項２】
請求項１の発明において、ノズルからエアを噴射する際に、エアの反作用によって該ノズルが斜め後方へ降下することを特徴とする印刷機の給紙装置の紙さばき。
【発明の詳細な説明】
【技術分野】
【０００１】
本発明は印刷機の給紙部において、紙積台に積載された枚葉紙が吸口で１枚ずつ吸着されて印刷機のフィーダーボード上へ円滑に搬送されるように、枚葉紙と枚葉紙の間へエアを吹き込んで枚葉紙をさばく紙さばきに関するものである。
【背景技術】
【０００２】
特許文献１に開示された従来の紙さばきは、枚葉紙を分離するノズルの真下に上下動調節自在に位置しているので、紙さばきに邪魔されることなくノズルを吸口後方に位置させることができるという効果があった。
【先行技術文献】
【特許文献】
【０００３】
【特許文献１】実開平５−１６３０４公報
【発明の概要】
【発明が解決しようとする課題】
【０００４】
しかし、特許文献１の従来の紙さばきでは、さばき動作中は紙さばきからのエアの量や方向は一定であったので、さばき効果が十分でなく、改善の余地があった。
【０００５】
本発明は、上記問題を解決するものであり、あたかも人が枚葉紙をさばくような効果的なさばきが可能な紙さばきを提供するものである。
【課題を解決するための手段】
【０００６】
上記目的を達成するために、紙さばきのノズルは紙さばきエアの吹き出し力により上下動する構成とした。そして、ノズルから圧縮エアを噴射する際に、圧縮エアの反作用によってノズルが斜め後方へ降下する構成とした。
【発明の効果】
【０００７】
本発明の紙さばきは上記の構成としたので、ノズルから噴射される圧縮エアの方向や強さは微妙に変化し、紙積台上に積載された枚葉紙の上端部をあたかも人の手でさばくようにさばくことができるという効果がある。
【図面の簡単な説明】
【０００８】
【図１】本発明にかかる印刷機の外形図である。
【図２】給紙装置における本発明にかかる紙さばきの位置関係を表す側面図である。
【図３】給紙装置における本発明にかかる紙さばきの位置関係を表す背面図である。
【図４】紙さばきの組立図である。
【図５】本発明にかかる紙さばきの内部を表す図である。
【図６】カバーの図５におけるＹ−Ｙ線断面図である。
【図７】ノズルの動作説明図である。
【発明を実施するための形態】
【０００９】
以下、本発明を実施するための好適な実施形態について、図面に基づいて説明する。
【実施例１】
【００１０】
図１乃至図２において、１は印刷機で、２は本発明にかかる紙さばき７を装備した給紙装置である。３ａ、３ｂ、３ｃ、３ｄは印刷機１の印刷ユニットで、本例では４ユニットで構成され、たとえば、墨、シアン、マゼンタ、黄のインキで順に印刷される。給紙装置２の枚葉紙Ｓは、サッカー装置５から下方に出た吸口５ａによって１枚ずつ吸着され、そのまま吸口５ａの図１中左右方向への揺動によって搬送され、更に、フィーダーボード４上をＺ方向に進み、最初の印刷ユニット３ａへ受け渡される。２ａは枚葉紙Ｓを積載する紙積台であり、枚葉紙Ｓの上端位置が一定になるよう印刷の進行に合わせて自動的に上昇するように構成されている。６はサッカー装置５の下端に接続されているブロアであり、このブロア６は、吸口５ａによって積載された枚葉紙Ｓの最上端の１枚が持ち上げられ、吸口５ａの揺動によって搬送されるときエアを吹き出し始めて、吸口５ａに吸着されて搬送される１枚目の枚葉紙Ｓと２枚目以下の枚葉紙Ｓを確実に分離して搬送を助けるものである。このエアはサッカー装置５を介して図示しないポンプによって供給される。７は本発明にかかる紙さばきであり、ブロア６によって枚葉紙Ｓが正確に１枚ずつ分離されるように、先端のノズルから圧縮エアを間欠的に噴出して枚葉紙Ｓをさばく。紙さばき７からの圧縮エアはサッカー装置５を介して図示しないコンプレッサーで供給される。吸口５ａ、ブロア６、紙さばき７は、図３で示すように、それぞれ左右一対に装着されている。
【００１１】
図４は、紙さばき７、アーム１０、ホルダー１１の組立図であり、紙さばき７とホルダー１１は、アーム１０の両端においてそれぞれ長孔１０ｂおよび１０ａにボルトでネジ止めされる。サッカー装置５の後端部に図示しない軸が水平状に枚葉紙Ｓの幅と略同じ長さに架設されており、この軸にホルダー１１の孔１１ａを通すことにより、紙さばき７はアーム１０を介してサッカー装置５に、水平方向に移動調節自在に、ボルト１１ｂで位置決めされて固定される。また、１０ａおよび１０ｂがそれぞれ長孔に形成されているので、紙さばき７とホルダー１１の距離を調節することができる。なお、図４ではバネ１２の図示を省略している。
【００１２】
図５は紙さばき７の内部構造を表す図であり、紙さばき７は、ケース７ａ、ノズル８、ノズルホルダー９およびバネ１２で構成されている。ノズルホルダー９には、図示しない孔が設けられ、その孔にノズル８が貫通して固定されている。また、ノズルホルダー９にはコロ９ａ、９ｂ、９ｃが両サイドに設けられ、両サイドのコロ９ａ、９ａ、９ｃ、９ｃはケース７ａの両サイドに長孔状に設けられたガイド孔７ｂ、７ｂ内を摺動するよう構成されており、摺動中にガタツキが発生しないように、ガイド７ｄをコロ９ａ、９ｃとコロ９ｂとで挟んでいる。バネ１２はノズルホルダー９を上方へ付勢するものであり、バネ止め９ｄとネジ７ｅで外れないように留めてある。バネ止め９ｄは図示においてノズルホルダー９から突出しているが、凹状に穴として形成してもよい。８ａは圧縮エアが供給されるホースであり、７ｃは長孔であって、ノズル８やホース８ａがカバー７ａに接触しないように構成されている。図６は図５におけるＹ−Ｙ位置のカバー７ａの断面図で、これによりカバー７ａがノズル８を上からコの字状にかぶさるようにして内包しているのが分かる。図７はノズル８の動作を説明する図であり、破線で描いたものは圧縮エアを噴射する前の状態を表し、実線で描いたものは圧縮エアを噴射してその反作用によりバネ１２の付勢力に抗してカバー７ａの後端下方へ移動した状態を表している。
【００１３】
次に本発明の動作について説明する。印刷機１の図示しないスタートボタンが操作されて印刷が開始されると、サッカー装置５の吸口５ａは枚葉紙Ｓの最上端の１枚を吸着してフィーダーボード４へ搬送する。ブロア６は吸口５ａの図１中左右方向への揺動と同時にエアを吹き始めて枚葉紙Ｓの搬送を補助し、吸口５ａが枚葉紙Ｓの吸着を解除したときエアの吹き出しを停止し、吸口５ａが次の枚葉紙Ｓを吸着すると再度エアを吹き始めるということを繰り返す。
【００１４】
印刷の進行とともに減少していく紙積台２ａに積載された枚葉紙Ｓの高さを一定に保つため、紙積台２ａが印刷の進行に合わせて少しずつ上昇するよう公知の図示しない昇降機構が設けられており、いくら上昇したか印刷機１の図示しない制御装置が分かるように紙積台２ａの図示しない昇降機構に図示しないセンサーが設けられている。ノズル８からの圧縮エアの噴射は、発明者の実験では、枚葉紙Ｓを積載した紙積台２ａが１５乃至１７ｍｍ上昇するごとに１回の割合で行うのがよいことが分かっている。
【００１５】
図７を用いてノズル８からの圧縮エアの噴射に伴う動きについて説明すると、圧縮エアを噴射する前は破線で示した位置にノズル８はバネ１２の付勢力によって位置づけられている。この位置は、積載された枚葉紙Ｓの最上端から２０ｍｍほど下がった所が好適であることが実験で判明したが、枚葉紙Ｓの紙質によって調整できるように長孔１０ａ、１０ｂが設けてある（図４参照）。サッカー装置５を経由して図示しないコンプレッサーからの圧縮エアがノズル８から噴出されると、その反作用によってノズル８はバネ１２の付勢力に抗して後退（矢印Ｆ方向）する力を受ける。この力はノズル８と一体的に構成されているノズルホルダー９を押すので、コロ９ａ、９ｂ、９ｃはガイド７ｄに案内されて、ノズル８からエアを噴出しながら、ケース７ａの後端下方へ後退し、図７の実線で示した位置にノズル８は到達する。この動作によって積載された枚葉紙Ｓの上端部分には、上から下へ、至近距離からある程度後退した距離へと変化を伴ってエアが吹き付けられることになる。このエアの変化があたかも人手によって枚葉紙Ｓがさばかれることに近い効果を生じ、効率よくさばかれるのである。図７の実線で示すようにケース７ａの後端下方へノズル８が達した後、図示しないコンプレッサーからの圧縮エアの供給が停止するよう構成されているので、ノズル８はバネ１２の付勢力によって元の破線で示した位置に戻ることになる。圧縮エアの停止は、エア噴出開始からの時間を図示しないタイマー等で計測して制御すればよい。
【００１６】
本発明に係る紙さばき７は、上述した実施の形態に限定されず、たとえば、下から上にエアをノズル８から噴出しながら上昇するように構成してもよく、特許請求の範囲で記載した範囲で種々の変形や改良が可能である。
【産業上の利用可能性】
【００１７】
本発明によれば、ノズル８から圧縮エアが噴射されるとノズル８は圧縮エアの反作用でエアを噴出しながら斜め後方に降下するので、紙積台２ａに積載された枚葉紙Ｓの上端部をあたかも人の手でさばくように効果的にさばくことができ、極めて有用である。
【符号の説明】
【００１８】
１                                印刷機
２                                給紙装置
３ａ、３ｂ、３ｃ、３ｄ            印刷ユニット
４                                フィーダーボード
５                                サッカー装置
６                                ブロア
７                                紙さばき
７ａ                              カバー
７ｂ                              ガイド孔
７ｄ                              ガイド
８                                ノズル
９                                ノズルホルダー
９ａ、９ｂ、９ｃ                  コロ
１０                              アーム
１１                              ホルダー
【図１】
2010228830.tif 000003
【図２】
2010228830.tif 000004
【図３】
2010228830.tif 000005
【図４】
2010228830.tif 000006
【図５】
2010228830.tif 000007
【図６】
2010228830.tif 000008
【図７】
2010228830.tif 000009